(57)【特許請求の範囲】
【請求項１】
上下方向に貫通する貫通流路が形成された本体部と、
下端部が前記貫通流路の下部開口部から下方に突出し、上端部には大径部が形成されており、前記大径部が前記貫通流路内の座部に配置されることによって、前記貫通流路内に設けられている下部棒と、
該下部棒の大径部の上面に接触するか又は接触せずに、大径部の上方において、前記貫通流路内の弁座に配置されている弁体と、
下端部が前記弁体の上面に当接し、上端部が前記貫通流路の上部開口部から上方に突出するように、前記貫通流路内に設けられている上部棒と、を具備し、
前記上部棒は、
最上端部から所定位置までは前記貫通流路の上部開口部との間の隙間が徐々に大となるように、下方に向けて徐々に小径となるテーパ状に形成されていることを特徴とする家禽用給水器。
【請求項２】
前記弁体は球状であり、
前記下部棒の前記大径部の上面には、前記弁体の下端部を収納する凹部が形成されていることを特徴とする請求項１記載の家禽用給水器。
【発明の詳細な説明】
【技術分野】
【０００１】
本発明は、家禽に水を供給する際に用いられる給水器に関する。
【背景技術】
【０００２】
鶏舎においては、ブロイラー等の家禽に水を与えるための装置が設けられている。
このような装置は水を流通させている給水パイプに給水器を取り付けて、給水器を家禽がつつくことにより、給水器内の弁が開いて水を滴らせるというものである。
【０００３】
従来の給水器の構造として、特許文献１のような構造が知られている。
特許文献１の給水器は、給水器の本体中央を上下に貫通する貫通通路を設け、この貫通通路内に本体下部より下方に突出する下部棒と、本体上部より上方に突出する上部棒を設けている。
本体上部は、給水パイプに連結されており、給水パイプの水は貫通通路内に進入できるようになっている。
【０００４】
下部棒の上端部には大径部が形成されており、この大径部は、貫通通路内壁に形成された弁座に設置されるようになっている。このため、通常は大径部と弁座とによって貫通通路は閉塞されており、大径部が傾いたり上昇したりして弁座との間に隙間が生じることで、水が貫通通路から下方に流出する。
【０００５】
また、上部棒の下端部にも大径部が形成されている。下部棒の大径部と上部棒の大径部とは、その間に平板状の弁を介して配置されている。
弁は貫通通路内壁に形成された肩部に配置されている。
【０００６】
貫通通路の上部内壁面には、内方に突出するフランジ部が形成されている。このフランジ部との間に、わずかな隙間が空くように上部棒が配置されている。
【０００７】
下部棒を家禽がつつくことにより、下部棒の大径部が傾くか上昇することで上部棒も上昇し、また弁と肩部との間に隙間が生じ、下部棒の大径部と弁座との間にも隙間が生じることで給水パイプからの水が貫通通路を通って滴り落ちる。
【０００８】
従来の給水器として特許文献２のような構造も知られている。
特許文献２の給水器は、下部棒と上部棒との間には球状の弁が配置されており、上部棒は内部が空洞であって上端側面には開口部が形成されている。
【０００９】
家禽が下部棒をつつくと、球状の弁が開くとともに、上部棒の開口部に給水パイプの水が進入し、上部棒の内部を水が通って下方に水を滴らせることができる。
【先行技術文献】
【特許文献】
【００１０】
【特許文献１】実開昭４９−２９０６６号公報
【特許文献２】実開昭４９−９３８７３号公報
【発明の開示】
【発明が解決しようとする課題】
【００１１】
従来の給水器は、特許文献１及び特許文献２に開示されているように、いずれも下部棒を家禽がつつくことにより、弁を開いて水を滴らせるようにしている。
【００１２】
しかし、一般的に家禽がまだ小さい雛鳥の場合と、成長した成鳥の場合とでは、必要とする水の量が異なる。
また、雛鳥と成鳥でなくても、小さい家禽と大きい家禽とでは、必要とする水の量が異なる。
【００１３】
そこで、本発明は上記課題を解決すべくなされ、その目的とするところは、小さい家禽と大きい家禽とでは、供給できる水量を変えることができる家禽用給水器を提供することにある。
【課題を解決するための手段】
【００１６】
本発明にかかる家禽用給水器によれば、上下方向に貫通する貫通流路が形成された本体部と、下端部が前記貫通流路の下部開口部から下方に突出し、上端部には大径部が形成されており、前記大径部が前記貫通流路内の座部に配置されることによって、前記貫通流路内に設けられている下部棒と、該下部棒の大径部の上面に接触するか又は接触せずに、大径部の上方において、前記貫通流路内の弁座に配置されている弁体と、下端部が前記弁体の上面に当接し、上端部が前記貫通流路の上部開口部から上方に突出するように、前記貫通流路内に設けられている上部棒と、を具備し、前記上部棒は、最上端部から所定位置までは前記貫通流路の上部開口部との間の隙間が徐々に大となるように、下方に向けて徐々に小径となるテーパ状に形成されていることを特徴としている。
この構成を採用することによって、小さい鳥が下部棒をつついたときは、上部棒のテーパ状の径が大きい部分と上部開口部との間の隙間から流入する水が下部開口部から流出する。しかし、大きい鳥が下部棒をつついたときには、つつく力や下部棒の移動距離が大きくなるため、上部棒が上方に大きく移動する。このため、上部棒の径が小さい部分と上部開口部との間の隙間から水が流入するので、流入量が多くなり、大きい鳥が水を飲む場合には、小さい鳥よりも多い量の水を飲むことができる。
また、前記弁体は球状であり、前記下部棒の前記大径部の上面には、前記弁体の下端部を収納する凹部が形成されていることを特徴としてもよい。
【発明の効果】
【００１７】
本発明にかかる家禽用給水器によれば、小さい家禽には少ない量を、大きい家禽には多い量の水を与えることができる。
【図面の簡単な説明】
【００１８】
【図１】家禽用給水器の第１の実施形態を示す断面図である。
【図２】第１の実施形態において下部棒の上昇距離が小さい場合を示す断面図である。
【図３】第１の実施形態において下部棒の上昇距離が大きい場合を示す断面図である。
【図４】家禽用給水器の第２の実施形態を示す断面図である。
【図５】第２の実施形態において下部棒の上昇距離が小さい場合を示す断面図である。
【図６】第２の実施形態において下部棒の上昇距離が大きい場合を示す断面図である。
【発明を実施するための形態】
【００１９】
（第１の実施形態）
本発明にかかる家禽用給水器について、図面に基づいて説明する。
図１は、第１の実施形態の断面図である。
家禽用給水器２０（以下、単に給水器と称する）は、給水パイプ（図示せず）に接続可能な接続部２２を有する本体２１を有している。
接続部２２は、給水パイプに形成されたネジ穴に螺合して固定するようにネジ山が形成されている。
【００２０】
本体２１の中央には、上下方向に貫通する貫通流路２４が形成されている。
貫通流路２４内には、下部棒３０、弁体３２、上部棒３４が配置されている。
【００２１】
下部棒３０は、全体として断面円形の円柱状であり、上端部が大径部４０として形成されている。
下部棒３０の大径部４０は、貫通流路２４内に形成された座部４２に載置されている。座部４２は、貫通流路２４内において内方に突出して形成されており、その上面に下部棒３０の大径部４０が載置される。
【００２２】
下部棒３０の大径部４０以外の個所は、本体２１の貫通流路２４の出口である下部開口部４４の径よりも小径となるように形成されており、その長さは下部開口部４４よりも下方に１ｃｍ程度突出するように設けられている。
下部棒３０の外壁面と下部開口部４４との間には１ｍｍ程度の隙間４５があいている。この隙間４５から水が滴りおちることができる。
【００２３】
下部棒３０の上方には、球状の弁体３２が配置されている。弁体３２は、貫通流路２４内に形成された弁座３５に載置されている。弁座３５は、貫通流路２４内において内方に突出し、且つ弁座３５の位置は、座部４２よりも外側に位置するように形成されている。
弁座３５は、球状の弁体３２を保持する個所であるため、弁体３２との接触個所は弁体３２の曲率半径に合わせた円弧状、または傾斜面として形成されている。
【００２４】
弁体３２は、貫通流路２４の中途部に形成された収納部３８内に収応されている。弁体３２は上部棒３４及び下部棒３０の径の２〜３倍程度の大径であるため、収納部３８は、上部開口部４９及び下部開口部４４よりも大きい径を有している。
【００２５】
なお、弁体３２は、下部棒３０の大径部４０の上面に接触していてもよいし、接触していなくてもよい。図１に示す本実施形態では、弁体３２と大径部４０の上面とは接触している。
また、下部棒３０の大径部４０の上面には、凹部５０が形成されている。このため、弁体３２の下面が凹部５０に接触することによって、弁体３２の大径部４０との間の接触面積が増加し、下部棒３０の上昇や傾きによる弁体３２の上昇をスムーズに行うことができる。
【００２６】
球状の弁体３２の上方には、上部棒３４が配置されている。
上部棒３４は、弁体３２の上面に載置されており、上部棒３４の上部は、貫通流路２４の入口である上部開口部４９を通って上方に１ｍｍ程度突出している。
上部棒３４の上部と下部はそれぞれ中間部分よりも大径の大径部として形成されている。上部大径部５２は、上部開口部４９の径よりもわずかに小径に形成されており、上部大径部５２と上部開口部４９との間は０．２ｍｍ程度の隙間があいている。
【００２７】
上部棒３４の下部大径部５５は上部開口部４９から上部棒３４が抜けてしまうことを防止する、いわゆる抜け止めとしての作用を奏する。
すなわち、下部大径部５５は、上部開口部４９よりも大径に形成されているので、上部棒３４が必要以上に上昇した場合であっても下部大径部５５の上端部が上部開口部４９の下方に形成された段部５３に当接する。このため、上部棒３４は上部開口部４９から抜けてしまうことがない。
【００２８】
上述してきた説明は図１に基づいており、すなわち家禽が水を飲んでいない状態について説明した。
このとき、下部棒３０は自重によって大径部４０が座部４２に当接していて、下部開口部４４を閉塞している。また、弁体３２は、自重及び上部棒３４の重量によって弁座３５に当接していて貫通流路２４を閉塞している。
【００２９】
また、上部棒３４の上部大径部５２と、本体２１の上部開口部４９との間は常時隙間があいているので、給水パイプ内の水はこの隙間から流入して、弁体３２が収納されている収納部３８内に常時貯留されている。
【００３０】
続いて、図２〜図３に基づいて給水器の動作について説明する。
図２は、小さい鳥（雛鳥）が下部棒３０をつついて、下部棒３０が上昇したところを示す。なお、小さい鳥が下部棒３０をつついて下部棒３０を斜めに傾けることもある。この場合には、下部棒３０の大径部４０と貫通流路２４内壁との隙間、又は下部棒３０と下部開口部４４との隙間４５の範囲で下部棒が傾斜する。
【００３１】
下部棒３０が上昇するか、又は傾斜することによって、下部棒３０の大径部４０が弁体３２を押し上げる。
すると、収納部３８内に貯留されていた水が、弁体３２と弁座３５との間を通り、さらに大径部４０と座部４２との間を通って下部開口部４４から流出する。
なお、弁体３２が上昇することによって、上部棒３４も上昇するが、上昇距離がわずかである場合（すなわち、上昇しても上部開口部４９が上部棒３４の上部大径部５２に位置している場合）は、上部開口部４９と上部大径部５２との隙間の間隔は、下部棒３０が上昇していないときと変わりがなく、この隙間を通じて給水パイプ内の水が収納部３８内に流入する。
【００３２】
図３は、大きい鳥（成鳥）が下部棒３０をつついて、下部棒３０が上昇したところを示す。大きい鳥は小さい鳥と比較してつつく強さが強いため、下部棒３０の上昇距離が小さい鳥の場合よりも大きくなる。このとき、収納部３８内に貯留されていた水が、弁体３２と弁座３５との間を通り、さらに大径部４０と座部４２との間を通って下部開口部４４から流出する点は図２の場合と同様である。
しかしこの場合には、上部棒３４の上部大径部５２が上部開口部４９よりも上方に突出し、上部開口部４９に対向する個所は上部大径部５２ではなく、上部大径部５２の下部の小径部５６となる。
【００３３】
上部開口部４９と小径部５６との間の隙間は０．５ｍｍ程度であり、上部開口部４９と上部大径部５２との間の隙間（０．２ｍｍ程度）よりも大きい。このため、大きい鳥が下部棒３０をつついたときには、小さい鳥が下部棒３０をつついたときよりも多くの水が貫通流路２４内に流入する。
したがって、大きい鳥の方が小さい鳥よりも水を多く摂取することができる。
【００３４】
（第２の実施形態）
図４に基づいて第２の実施形態の構成について説明する。なお、第２の実施形態と第１の実施形態との相違点は、上部棒の形状のみであり、他の構成要素は相違しない。
そこで、以下の説明においては、同一の構成要素には同一の符号を付し、説明を省略する場合もある。
【００３５】
第２の実施形態の上部棒６０は、上部が下方に向けて徐々に小径となるテーパ部６２として形成され、下部が下部大径部６４として形成されている。下部大径部６４は、第１の実施形態と同様に上部棒６０の抜け止めとしての作用を奏する。また、上部棒６０のテーパ部６２と下部大径部６４の間は、小径部６６である。
【００３６】
図５〜図６に基づいて第２の実施形態の給水器の動作について説明する。
図５は、小さい鳥（雛鳥）が下部棒３０をつついて、下部棒３０が上昇したところを示す。なお、小さい鳥が下部棒３０をつついて下部棒３０を斜めに傾けることもある。この場合には、下部棒３０の大径部４０と貫通流路２４内壁との隙間、又は下部棒３０と下部開口部４４との隙間４５の範囲で下部棒が傾斜する。
【００３７】
下部棒３０が上昇するか、又は傾斜することによって、下部棒３０の大径部４０が弁体３２を押し上げる。
すると、収納部３８内に貯留されていた水が、弁体３２と弁座３５との間を通り、さらに大径部４０と座部４２との間を通って下部開口部４４から流出する。
なお、弁体３２が上昇することによって、上部棒６０も上昇する。このとき、上部棒６０のテーパ部６２と上部開口部４９との間の隙間が、テーパ部６２の上昇距離に伴って広がる。
【００３８】
すなわち、上部棒６０の上昇距離が小さいほど、テーパ部６２と上部開口部４９との間の隙間は小さく、上昇距離が大きいほど、テーパ部６２と上部開口部４９との間の隙間は大きくなる。
このように、第２の実施形態では、上部開口部４９との間の隙間は上部棒６０の上昇に伴って徐々に大きくなるため、第１の実施形態のように流入する水量が多量、少量のように段階的に変えるのではなく、鳥の大きさに合わせて流入する水量を連続的に変動させることができる。このため、鳥の大きさに適した水の量を与えることができる。
【００３９】
図６は、大きい鳥（成鳥）が下部棒３０をつついて、下部棒が上昇したところを示す。大きい鳥は小さい鳥と比較してつつく強さが強いため、下部棒３０の上昇距離が小さい鳥の場合よりも大きくなる。このとき、収納部３８内に貯留されていた水が、弁体３２と弁座３５との間を通り、さらに大径部４０と座部４２との間を通って下部開口部４４から流出する点は図５の場合と同様である。
【００４０】
なお、この場合には上部棒６０の上昇距離が図５の場合よりも大きく、上部棒６０のテーパ部６２が上部開口部４９よりも上方に突出し、上部開口部４９に対向する個所はテーパ部６２ではなく、小径部５６となる。
このため、上部棒６０のテーパ部６２と上部開口部４９との間の隙間も図５の場合よりも大きくなり、小さい鳥が下部棒３０をつついたときよりも多くの水が貫通流路２４内に流入する。
【００４１】
なお、本実施形態において、上部棒６０がある程度の距離を上昇した際には、テーパ部６２が上部開口部４９よりも上方に突出するようにテーパ部６２の上下方向の長さを設定しているが、テーパ部６２の上下方向の長さを長くして、上部棒６０の上昇距離が最大になった場合であっても、テーパ部６２と上部開口部４９との間の隙間から水が流入するようにしてもよい。
【符号の説明】
【００４２】
２０    家禽用給水器
２１    本体
２２    接続部
２４    貫通流路
３０    下部棒
３２    弁体
３４    上部棒
３５    弁座
３８    収納部
４０    大径部
４２    座部
４４    下部開口部
４５    隙間
４９    上部開口部
５０    凹部
５２    上部大径部
５３    段部
５５    下部大径部
５６    小径部
６０    上部棒
６２    テーパ部
６４    下部大径部
６６    小径部
【要約】
【課題】  小さい家禽と大きい家禽とでは、供給できる水量を変えることができる家禽用給水器を提供する。
【解決手段】  上下方向に貫通する貫通流路２４が形成された本体部２１と、下端部が下部開口部４４から下方に突出し、上端部には大径部４０が形成されている下部棒３０と、下部棒３０の大径部４０の上面に接触するか又は接触せずに、大径部４０の上方において、貫通流路２４内の弁座３５に配置されている弁体３２と、下端部が弁体３２の上面に当接し、上端部が上部開口部４９から上方に突出するように、貫通流路２４内に設けられている上部棒３４と、を具備し、上部棒３４は、最上端部から所定位置までは貫通流路２４の上部開口部４９との間の隙間が小となるような大径部５２として形成され、所定位置よりも下側は貫通流路２４の上部開口部４９との間の隙間が大となるような小径部５６として形成されている。
【選択図】        図１【図１】
0005990357.tif 000002
【図２】
0005990357.tif 000003
【図３】
0005990357.tif 000004
【図４】
0005990357.tif 000005
【図５】
0005990357.tif 000006
【図６】
0005990357.tif 000007